(57)【特許請求の範囲】
【請求項１】
袋状に形成された布団本体と、
この布団本体の内部に設けられた複数の中袋とを備え、
前記複数の中袋の少なくとも一つに、前記中袋の内部に空気を入れるための送風口が形成され、
前記複数の中袋は縦断面視で内部が外側に円弧状に膨らんだ空間と狭められた空間とが交互に形成され、
前記複数の中袋のそれぞれの内部には、ハニカムメッシュに形成された中綿が前記円弧状に膨らんだ空間と狭められた空間とを貫通して延びていることを特徴とする布団。
【請求項２】
前記送風口が、前記布団本体に形成された開閉部から出し入れ可能に構成されていることを特徴とする請求項１に記載の布団。
【請求項３】
前記中袋が二つ設けられており、これら二つの中袋が、前記布団本体の長さ方向の両端部に配されていることを特徴とする請求項１又は請求項２に記載の布団。
【請求項４】
前記二つの中袋のうち、一方の中袋の前記長さ方向の寸法が、前記布団本体の長さ寸法の２／３に設定され、
他方の中袋の前記長さ方向の寸法が、前記布団本体の長さ寸法の１／３に設定されていることを特徴とする請求項３に記載の布団。
【発明の詳細な説明】
【技術分野】
【０００１】
この発明は、内部に空気を入れるようになっている空気式の布団に関する。
【背景技術】
【０００２】
近年、羽毛布団より軽く、かつ断熱性に優れ、しかも収容及び搬送を容易にすることができる布団として空気式布団が提案されている（特許文献１参照）。このような空気式布団の内部に、温風又は涼風を送ることにより、室内の温度よりも布団を暖かくしたり、冷たくしたりすることができる。例えば、夏場には布団内部に涼風を送り、冬場には温風を送るなど布団内部の温度を調整することができる。
【特許文献１】特開２００５−１９２９７７号公報
【発明の開示】
【発明が解決しようとする課題】
【０００３】
しかしながら、上記のような空気式布団では、体全体を暖かくしたり冷やしたりすることはできるものの、足、腰、肩など体の所望の部分のみを暖かくしたりなどすることはできないという問題がある。
【０００４】
本発明は、このような事情に鑑みてなされたものであって、体の所望の部分のみの温度を調整することができ、快適な睡眠環境を提供することができる布団を提供することを目的とする。
【課題を解決するための手段】
【０００５】
上記課題を解決するために、本発明は以下の手段を提供する。
本発明に係る布団は、袋状に形成された布団本体と、この布団本体の内部に設けられた複数の中袋とを備え、前記複数の中袋の少なくとも一つに、前記中袋の内部に空気を入れるための送風口が形成され、前記複数の中袋は縦断面視で内部が外側に円弧状に膨らんだ空間と狭められた空間とが交互に形成され、前記複数の中袋のそれぞれの内部には、ハニカムメッシュに形成された中綿が前記円弧状に膨らんだ空間と狭められた空間とを貫通して延びていることを特徴とする。
【０００６】
この発明に係る布団においては、中袋の内部に送風口から涼風又は温風を送り込む。このとき、中袋は複数設けられていることから、布団全体のうち、涼風又は温風を送り込まれた中袋に相当する部分のみの温度が変化する。
以上より、布団全体のある部分のみの温度を調整することができる。
また、複数の中袋のそれぞれの内部に、中綿が設けられていることから、より快適な睡眠環境を提供することができる。
そして、中綿がハニカムメッシュから形成されていることから、ハニカムメッシュの網目を通して、空気を中袋の奥まで容易に送りこむことができる。したがって、使用者が使用中であっても、送風口から中袋の奥側にわたって空気を確実に送り込むことができ、布団本体の全面にわたって中袋内の温度を均一に保持することができる。
【０００７】
また、本発明に係る布団は、前記送風口が、前記布団本体に形成された開閉部から出し入れ可能に構成されていることを特徴とする。
【０００８】
この発明に係る布団においては、開閉部を介して送風口が出し入れされる。
以上より、中袋に空気を容易に送り込むことができるだけでなく、空気を入れた後に、送風口を収用することができる。
【０００９】
また、本発明に係る布団は、前記中袋が二つ設けられており、これら二つの中袋が、前記布団本体の長さ方向の両端部に配されていることを特徴とする。
【００１０】
この発明に係る布団においては、二つの中袋が、布団本体の長さ方向の両端部に配されていることから、使用者の足元や、腰、肩などの所望の部分のみに空気を確実に送り込むことができる。
【００１１】
また、本発明に係る布団は、前記二つの中袋のうち、一方の中袋の前記長さ方向の寸法が、前記布団本体の長さ寸法の２／３に設定され、他方の中袋の前記長さ方向の寸法が、前記布団本体の長さ寸法の１／３に設定されていることを特徴とする。
【００１２】
この発明に係る布団においては、使用者の足元や腰、肩などの所望の部分のみに空気を確実に送り込むことができる。
【発明の効果】
【００１５】
この発明の布団によれば、布団全体のある部分のみの温度を調整することができることから、体の所望の部分のみを容易に暖めたり冷やしたりすることができる。
また、複数の中袋のそれぞれの内部に、中綿が設けられていることから、より快適な睡眠環境を提供することができる。
そして、中綿がハニカムメッシュで形成されていることから、ハニカムメッシュの網目を通して、空気を中袋の奥まで容易に送りこむことができる。したがって、使用者が使用中であっても、送風口から中袋の奥側にわたって空気を確実に送り込むことができ、布団本体の全面にわたって中袋内の温度を均一に保持することができる。
【発明を実施するための最良の形態】
【００１６】
（実施形態１）
以下、本発明の第１の実施形態における布団について、図面を参照して説明する。
図１は、この発明の実施形態を示す斜視図である。
図１において、符号１は布団を示すものである。
【００１７】
布団１は、平面視して長方形状の布団本体２を備えている。
布団本体２は、袋状に形成されている。すなわち、布団本体２は、図２及び図３に示すように、長方形状の表側地３及び裏側地４を備えており、これら表側地３と裏側地４とが、植毛テープ７を介して連結されている。
【００１８】
表側地３は、使用状態において、上側（使用者側）に配されるものであり、植毛加工生地からなっている。
裏側地４は、使用状態において、下側（床面側）に配されるものであり、内部に綿部８が設けられている。そして、裏側地４には、綿部８がズレないように、キルティング加工が施されている。裏側地４のうちの上側の生地には、織密度の粗い、通気性の高い生地が使用されており、下側の生地には、サテン地が使用されている。また、綿部８には、薄いウール綿が使用されている。
【００１９】
また、植毛テープ７は、布団本体２の側面部を形成するものであり、テープの表面に植毛加工が施されて形成されたものである。植毛テープ７と、表側地３及び裏側地４とは、ヘムテープ９によってヘム加工されて止着されている。
【００２０】
さらに、本発明に係る布団１においては、布団本体２の内部に、第１の中袋（一方の中袋）１２と第２の中袋（他方の中袋）１３とが設けられている。
第１の中袋１２及び第２の中袋１３は、図４に示すように、略長方形状に形成されている。そして、第１の中袋１２と第２の中袋１３とは、連結部１７とを介して連結されている。なお、第１の中袋１２及び第２の中袋１３は、その内部が互いに連通しておらず、独立の中袋として形成、連結されている。
【００２１】
第１の中袋１２と第２の中袋１３とが連結された状態の全体の長さ寸法Ｌ３は、図１に示す布団本体２の長さ方向Ｌの全長Ｌ´（長さ寸法）と等しくなっている。
また、第１の中袋１２のうち、布団本体２の長さ方向Ｌに向けられる長さ寸法Ｌ１は、全体の寸法Ｌ３の２／３の長さに設定されている。一方、第２の中袋１３のうち、布団本体２の長さ方向Ｌに向けられる長さ寸法Ｌ２は、全体の寸法Ｌ３の１／３の長さに設定されている。
すなわち、第１の中袋１２は、布団本体２の内部に配されて、布団本体２の長さ方向の２／３を占め、第２の中袋１３は、布団本体２の長さ方向の１／３を占めるようになっている。
【００２２】
また、第１及び第２の中袋１２，１３の長さ方向Ｌの両端に配されて互いに対向する一辺部には、それぞれ送風口２０が設けられている。これら送風口２０を介して、不図示の送風機から排出された空気が第１及び第２の中袋１２，１３のそれぞれの内部に送られるようになっている。
さらに、第１及び第２の中袋１２，１３は、送風口２０から所定の量だけ空気を送り込んでも、それら送り込まれた空気が第１及び第２の中袋１２，１３の外方に漏れることなく、第１及び第２の中袋１２，１３内に均一に広げられるようになっている。そして、所定の量を超えるとそれら空気が外方に排出されるようになっている。言い換えると、第１及び第２の中袋１２，１３は、送風口２０から所定の量だけ空気を送り込むと、内部が所定の圧力に達するまでは、圧力が増大していき、所定の圧力になると、空気を外方に排出することにより、その所定の圧力を保持するようになっている。すなわち、第１及び第２の中袋１２，１３の生地は、所定量の空気又は所定の圧力を保持することができる通気度に設定されている。例えば、第１及び第２の中袋１２，１３の生地は、綿サテンからなっており、生地の通気度は、空気の排出量が３〜５立方ｃｍ／平方ｃｍ  Ｓｅｃに設定される。
送風口２０の先端部には、帯状の面ファスナ２１が設けられている。面ファスナ２１は、送風口２０の外周にわたって巻回させることにより、送風口２０からの空気の流通を規制するようになっている。また、第１及び第２の中袋１２，１３の上側の面には、メッシュ状の滑り止め部材２５が設けられている。これら滑り止め部材２５によって、第１及び第２の中袋１２，１３の布団本体２内における位置ズレが防止されるようになっている。
【００２３】
さらに、第１及び第２の中袋１２，１３には、メッシュ状の中綿１６（図２及び図３に示す）が設けられている。そして、第１及び第２の中袋１２，１３には、中綿１６がズレないように、和とじ部２６が設けられている。
なお、符号２２は、紐を示すものであり、これら紐２２は、布団本体２の四隅に設けられたループ部に結ばれることにより、第１及び第２の中袋１２，１３の布団本体２内における位置ズレを防止するようになっている。
【００２４】
さらに、中綿１６は、図５に示すように、ポリエステル素材で厚さ２０ｍｍのハニカムネットからなっている。そして、中綿１６の網目内の所定の位置に、支持部材２４が規則的に設けられている。支持部材２４は、６００ｇ／ｍ２で３ｃｍ×３ｃｍのサイズのポリエステル硬綿をネットに入れて、ホットメルトで止められて形成されている。
【００２５】
また、図１に示すように、布団本体２の長さ方向Ｌの両端辺には、開閉部２９が設けられている。すなわち、植毛テープ７が布団本体２の周方向に二つに分けられており、これら植毛テープ７の長さ方向の両端には、それら互いの両端同士を連結する連結布３１が設けられている。
連結布３１には、図６に示すように、切り込み３０が形成されており、この切り込み３０は、スライドファスナ３２によって、開閉可能に構成されている。そして、スライドファスナ３２を開くと、切り込み３０を介して、送風口２０を布団本体２の外部に出すことができるようになっている。一方、切り込み口３０を介して布団本体２の内部に送風口２０を押し込み、スライドファスナ３２を閉じると、送風口２０が布団本体２の内部に収容されるようになっている。
【００２６】
次に、本実施形態における布団１の使用方法について説明する。
ここでは、例えば、足元のみを暖める場合について説明する。
なお、送風口２０は、いずれも布団本体２内に収用されているものとする。
まず、第２の中袋１３の側のスライドファスナ３２を開けて、送風口２０を外部に引っ張り出す。そして、送風口２０を介して、不図示の送風機から第２の中袋１３の内部に温風を送り込む。このとき第２の中袋１３の生地は、上記所定の通気度に設定されているため、空気を送り込んで直ちにその空気が外方に漏れることはなく、第２の中袋１３内を広がっていく。そして、第２の中袋１３内を均一に広がって、所定量の空気又は所定の圧力に達すると、その空気が外方に排出される。第２の中袋１３内に所定量の温風を送り込んだ後、送風口２０から送風機を外し、送風口２０の外周に面ファスナ２１を巻回して、送風口２０の口を閉める。これにより、送風口２０の空気の流通が規制され、第２の中袋１３の内部に温風を留めておくことができる。
【００２７】
それから、口が閉じられたままの送風口２０を切り込み３０を介して布団本体２の内部に押し込み、スライドファスナ３２を閉じる。
この状態では、布団本体２の長さ方向Ｌの端部から１／３の長さの分だけ暖められた状態になっている。
そこで、第２の中袋１３の側を使用者の足元に配し、第１の中袋１２の側を使用者の頭側に配する。
これにより、睡眠時に使用者の足元のみが暖められる。
【００２８】
一方、足元のみ冷やしたい場合には、第２の中袋１３のみに、上記と同様にして涼風を送り込めばよい。
また、足元や腰を暖めたり又は冷やしたりしたい場合には、第１の中袋１２のみに、温風又は涼風を送り込み、第１の中袋１２の側を使用者の足元に配する。
さらに、腰や肩を暖めたり又は冷やしたりしたい場合には、第１の中袋１２のみに、温風又は涼風を送り込み、第１の中袋１２の側を使用者の頭側に配する。
【００２９】
以上より、本実施形態における布団１によれば、布団１全体の所定の部分のみの温度を調整することができ、そのため、体の所望の部分のみを容易に暖めたり冷やしたりすることができる。
また、第１及び第２の中袋１２，１３が、布団本体２の長さ方向Ｌの２／３及び１／３の長さに設定されていることから、足元のみ又は足元や腰などの温度を容易に調整することができる。
【００３０】
また、中綿１６が設けられていることから、より快適な睡眠環境を使用者に提供することができる。さらに、第１及び第２の中袋１２，１３に中綿１６が設けられていることから、それら第１及び第２の中袋１２，１３がつぶされることなく、常に所定の高さ寸法を保持することができ、内部に空間を確保することができる。そのため、第１及び第２の中袋１２，１３が高さ方向にくっつくことを防止することができ、内部に空気を容易に送り込むことができる。
また、中綿１６がハニカムメッシュから形成されていることから、網目を通して、空気を奥まで容易に送りこむことができる。したがって、使用者が使用中であっても、中袋１２，１３の手前側（送風口２０側）から奥側にわたって空気を確実に送り込むことができ、布団本体２の全面にわたって中袋１２，１３内の温度を均一に保持することができる。
【００３１】
また、第１及び第２の中袋１２，１３の生地が、所定の通気度に設定されているため、第１及び第２の中袋１２，１３内に空気を均一に送り込むことができ、布団本体２の全面にわたって中袋１２，１３内の温度を均一に保持することができる。
さらに、開閉部２９が設けられていることから、送風口２０を布団本体２の内部に収用することができ、第１及び第２の中袋１２，１３の内部に送り込まれた空気の漏れを防止することができ、デザイン性を損なうこともない。
【００３２】
（実施形態２）
次に、本発明の第２の実施形態について説明する。
図７は、本発明の第２の実施形態を示したものである。
図７において、図１から図６に記載の構成要素と同一部分については同一符号を付し、その説明を省略する。
この実施形態と上記第１の実施形態とは基本的構成は同一であり、ここでは異なる点について説明する。
【００３３】
本実施形態においては、第１、第２及び第３の中袋３４，３５，３６の三つの中袋を備えている。これら第１、第２及び第３の中袋３４，３５，３６は、布団本体２の長さ方向Ｌに均等間隔に並べて配されている。それぞれの送風口２０は、布団本体２の短手方向の一辺部から出し入れされるようになっている。
【００３４】
このような構成のもと、第１、第２及び第３の中袋３４，３５，３６に空気を送り込むことにより、体の所定の部位のみの温度を確実に調整することができる。例えば、肩のみの温度を調整する場合には、第１又は第３の中袋３４，３６に空気を送り込み、送り込んだ側を使用者の頭側に配すればよい。また、腰のみであれば、第２の中袋３５に空気を送り込めばよい。さらに、足と肩との温度を調整する場合には、第１及び第３の中袋３４，３６に空気を送り込めばよい。
【００３５】
なお、本実施形態においては、第１、第２及び第３の中袋３４，３５，３６を布団本体２の長さ方向Ｌに均等間隔に並べて配するとしたが、これに限ることはなく、それら間隔は適宜変更可能である。例えば、第１及び第３の中袋３４，３６をそれぞれ布団本体２の長さ寸法の１／４に設定し、第２の中袋３５を布団本体２の長さ寸法の１／２に設定してもよい。これにより、足元や肩のみの温度を確実に調整することができる。
【００３６】
また、上記第１又は第２の実施形態においては、中袋を二つ又は三つ設けるとしたが、これに限ることはなく、それら中袋の設置数は適宜変更可能である。
また、中袋の並びを長さ方向Ｌとしたが、これに限ることはなく、短手方向に並べて配置してもよい。これにより、使用者の左右方向のいずれか一方のみの温度を調整することができる。
なお、本発明の技術範囲は上記の実施形態に限定されるものではなく、本発明の趣旨を逸脱しない範囲において、種々の変更を加えることが可能である。
【図面の簡単な説明】
【００３７】
【図１】本発明に係る布団の第１の実施形態を示す斜視図である。
【図２】図１のＢ−Ｂ線矢視断面図である。
【図３】図１のＡ−Ａ線矢視断面図である。
【図４】本発明における中袋を示す平面図である。
【図５】本発明における中綿を示す平面図である。
【図６】図１の開閉部を拡大して示す説明図である。
【図７】本発明に係る布団の第２の実施形態を示す斜視図である。
【符号の説明】
【００３８】
１  布団
２  布団本体
１２  第１の中袋（一方の中袋）
１３  第２の中袋（他方の中袋）
１６  中綿
２０  送風口
２９  開閉部
３４  第１の中袋
３５  第２の中袋
３６  第３の中袋
Ｌ    長さ方向
【図１】
0004714063.tif 000002
【図２】
0004714063.tif 000003
【図３】
0004714063.tif 000004
【図４】
0004714063.tif 000005
【図５】
0004714063.tif 000006
【図６】
0004714063.tif 000007
【図７】
0004714063.tif 000008